(57)【要約】【課題】入出力端子確認用の鏡部材を有効利用する映像表示装置及びテレビジョン受像機を実現する。【解決手段】映像表示装置であるＴＶ受像機１００は、そのＴＶ受像機１００における映像出力部５を前方から臨んだときに隠れた位置に配設されている入出力端子７を、ＴＶ受像機１００の前方から視認可能に映す平面鏡１１を有するミラーユニット１０を備えており、その平面鏡１１に所定の機器（例えば、パソコン、ワイヤレスヘッドフォン等）と無線通信を行うためのアンテナ部６ａを設けることとした。【選択図】図４
2008172488.tif 000002
【特許請求の範囲】
【請求項１】
放送信号を受信する受信部と、
前記受信部により受信した放送信号に対応する映像を筐体の前面側に表示する表示部と、
前記表示部を前方から臨んだときに隠れた位置に配設されている入出力端子と、
前記入出力端子を前記表示部の前方から視認可能に映す鏡部材と、
を備えるテレビジョン受像機において、
当該テレビジョン受像機が所定の機器と無線通信を行うためのアンテナ部を前記鏡部材に設け、その鏡部材は前記筐体に形成された収納部に格納されるとともに、前記筐体から離れた位置に引き出されて使用されることを特徴とするテレビジョン受像機。
【請求項２】
映像を筐体の前面側に表示する表示部と、
前記表示部を前方から臨んだときに隠れた位置に配設されている入出力端子と、
前記入出力端子を前記表示部の前方から視認可能に映す鏡部材と、
を備える映像表示装置において、
当該映像表示装置が所定の機器と無線通信を行うためのアンテナ部を前記鏡部材に設けたことを特徴とする映像表示装置。
【請求項３】
前記鏡部材は、前記筐体に形成された収納部に格納されるとともに、前記筐体から離れた位置に引き出されて使用されることを特徴とする請求項２に記載の映像表示装置。
【発明の詳細な説明】
【技術分野】
【０００１】
本発明は、映像表示装置及びテレビジョン受像機に関する。
【背景技術】
【０００２】
従来、テレビジョン受像機の背面側に設けられた入出力端子にケーブルのプラグを抜き差しする際に、使用者がテレビジョン受像機の背後に回りこむことなく、入出力端子の位置や種類を確認することができるように、その入出力端子を映す鏡部材を備えたテレビジョン受像機が知られている（例えば、特許文献１、２参照。）。
【特許文献１】特開２００６−６０３５６号公報
【特許文献２】特開２００６−７１８９６号公報
【発明の開示】
【発明が解決しようとする課題】
【０００３】
しかしながら、上記従来技術の場合、テレビジョン受像機に設けられた鏡部材は入出力端子を映すためだけに用いられているので、その鏡部材や鏡部材が配設されたスペースを利用して、テレビジョン受像機に機能を付加することが考えられていた。
【０００４】
本発明の目的は、入出力端子確認用の鏡部材を有効利用する映像表示装置及びテレビジョン受像機を提供することである。
【課題を解決するための手段】
【０００５】
以上の課題を解決するため、請求項１に記載の発明は、
放送信号を受信する受信部と、
前記受信部により受信した放送信号に対応する映像を筐体の前面側に表示する表示部と、
前記表示部を前方から臨んだときに隠れた位置に配設されている入出力端子と、
前記入出力端子を前記表示部の前方から視認可能に映す鏡部材と、
を備えるテレビジョン受像機において、
当該テレビジョン受像機が所定の機器と無線通信を行うためのアンテナ部を前記鏡部材に設け、その鏡部材は前記筐体に形成された収納部に格納されるとともに、前記筐体から離れた位置に引き出されて使用されることを特徴とする。
【０００６】
請求項２に記載の発明は、
映像を筐体の前面側に表示する表示部と、
前記表示部を前方から臨んだときに隠れた位置に配設されている入出力端子と、
前記入出力端子を前記表示部の前方から視認可能に映す鏡部材と、
を備える映像表示装置において、
当該映像表示装置が所定の機器と無線通信を行うためのアンテナ部を前記鏡部材に設けたことを特徴とする。
【０００７】
請求項３に記載の発明は、請求項２に記載の映像表示装置において、
前記鏡部材は、前記筐体に形成された収納部に格納されるとともに、前記筐体から離れた位置に引き出されて使用されることを特徴とする。
【発明の効果】
【０００８】
請求項１に記載の発明によれば、テレビジョン受像機は、そのテレビジョン受像機における表示部を前方から臨んだときに隠れた位置に配設されている入出力端子を、その表示部の前方から視認可能に映す鏡部材を備えているので、使用者がテレビジョン受像機の側面や背後に回りこんだり、テレビジョン受像機を移動させたりすることなく、入出力端子の位置や種別を確認することができ、好適にケーブルのプラグを入出力端子に抜き差しすることができる。
特に、このテレビジョン受像機がパソコンやワイヤレスヘッドフォンなどの所定の機器と無線通信を行うためのアンテナ部が鏡部材に設けられているので、この鏡部材を、入出力端子を映し出すためだけに使用するのではなく、アンテナ部の支持部材として利用することができる。
つまり、このテレビジョン受像機は、入出力端子確認用の鏡部材を有効利用することができる。
【０００９】
また、テレビジョン受像機が備える鏡部材を、筐体に形成された収納部に格納することができるので、その鏡部材を使用しない際にテレビジョン受像機の邪魔にならない位置に鏡部材を収納することができる。また、収納部に鏡部材を収納することによって、鏡部材を保護することができる。
また、その鏡部材は、筐体から離れた位置に引き出されて使用されるので、鏡部材に設けられたアンテナ部をテレビジョン受像機の筐体から離間した位置に切り替えることができ、無線通信に関する受信感度を向上させることができる。
【００１０】
請求項２に記載の発明によれば、映像表示装置は、その映像表示装置における表示部を前方から臨んだときに隠れた位置に配設されている入出力端子を、その表示部の前方から視認可能に映す鏡部材を備えているので、使用者が映像表示装置の側面や背後に回りこんだり、映像表示装置を移動させたりすることなく、入出力端子の位置や種別を確認することができ、好適にケーブルのプラグを入出力端子に抜き差しすることができる。
特に、この映像表示装置がパソコンやワイヤレスヘッドフォンなどの所定の機器と無線通信を行うためのアンテナ部が鏡部材に設けられているので、この鏡部材を、入出力端子を映し出すためだけに使用するのではなく、アンテナ部の支持部材として利用することができる。つまり、この映像表示装置は、入出力端子確認用の鏡部材を有効利用することができる。
【００１１】
請求項３に記載の発明によれば、請求項２に記載の発明と同様の効果が得られることは無論のこと、映像表示装置が備える鏡部材を、筐体に形成された収納部に格納することができるので、その鏡部材を使用しない際に映像表示装置の邪魔にならない位置に鏡部材を収納することができる。また、収納部に鏡部材を収納することによって、鏡部材を保護することができる。
また、その鏡部材は、筐体から離れた位置に引き出されて使用されるので、鏡部材に設けられたアンテナ部を映像表示装置の筐体から離間した位置に切り替えることができ、無線通信に関する受信感度を向上させることができる。
【発明を実施するための最良の形態】
【００１２】
以下、図を参照して本発明に係る映像表示装置の実施形態を詳細に説明する。なお、発明の範囲は、図示例に限定されない。
本実施の形態では、映像表示装置として、テレビジョン受像機（以下、「ＴＶ受像機」という）を例示して説明することとする。
【００１３】
ＴＶ受像機１００は、図１に示すように、アンテナ１ａを有するチューナ１と、復調器２と、デコーダ３と、デコーダ３と接続する音声出力部４や映像表示部５と、無線通信部６と、入出力端子７と、ミラーユニット１０等を備え、それらが筐体８に収められて構成されている。
なお、無線通信部６には、通信用アンテナ部６ａが接続されており、通信用アンテナ部６ａはミラーユニット１０の平面鏡１１に配設されている。
【００１４】
チューナ１は、アンテナ１ａを介して受信されたＴＶ放送信号（例えば、デジタル方式のＴＶ放送信号）の中から、ユーザ所望の放送番組のチャンネルに対応する周波数帯域に存在するＴＶ放送信号を受信する受信部として機能する。そして、チューナ１は、受信したＴＶ放送信号を変調して、中間周波信号を復調器２に出力する。
復調器２は、チューナ１から出力された中間周波信号に対してデジタル復調などの処理を施して、ストリーム（例えば、トランスポートストリーム）をデコーダ３に出力する。
デコーダ３は、復調器２から出力されたトランスポートストリームを解読して、そのトランスポートストリームを構成する各トランスポートパケットを判別し、ユーザ所望の放送番組に関連するトランスポートパケットにかかるデータを、圧縮音声データと圧縮映像データとに分離する。そして、圧縮音声データをデコードした音声データを音声出力部２４に出力するとともに、圧縮映像データをデコードした映像データを映像表示部２５に出力する。
【００１５】
音声出力部４は、例えば、スピーカ機器であり、デコーダ３から出力された音声データに基づく音声を出力する。
映像表示部５は、例えば、液晶表示機器であり、デコーダ３から出力された映像データに基づく映像を表示する表示部として機能し、筐体８の前面側に備えられている。
【００１６】
無線通信部６は、所定の機器（例えば、パソコン等）と無線ＬＡＮ（例えば、Ｗｉ−Ｆｉ）などの通信を行う機能を有する通信部であり、その無線通信を行うためのアンテナ部としての通信用アンテナ部６ａを備えている。
通信用アンテナ部６ａは、鏡部材としての平面鏡１１の端部に備えられており、平面鏡１１の鏡面への像の映し込みを妨げない位置であって、無線信号の送受が可能な位置に配設されている。
そして、この無線通信部６が通信用アンテナ部６ａを介して、例えば、パソコンと通信を行うことによって、ＴＶ受像機１００において受信した放送信号に関する番組をパソコンで視聴したり、パソコンに取り込んだ動画をＴＶ受像機１００で視聴したりすることが可能になる。
【００１７】
入出力端子７は、ＴＶ受像機１００の筐体の側面であって、映像表示部５を前方から臨んだときに隠れた位置に配設されている。
この入出力端子７は、外部機器に繋がれたケーブルのプラグを差し込んで、その外部機器とＴＶ受像機１００を接続するための各種端子を備えており、例えば、図２に示すように、映像信号用ピンジャック７ａと、音声左信号用ピンジャック７ｂと、音声右信号用ピンジャック７ｃを備えている。
なお、映像信号用ピンジャック７ａ、音声左信号用ピンジャック７ｂ、音声右信号用ピンジャック７ｃの近傍である筐体８の表面には、図２に示すように、各ピンジャックの種別を示す「映像」、「左」、「右」という文字と、その文字が反転した鏡像が印されている。
【００１８】
次に、本発明に係るＴＶ受像機１００が備えるミラーユニット１０について説明する。
ミラーユニット１０は、図２から図５に示すように、平面鏡１１と、支持板１２と、平面鏡１１と支持板１２の間に配されるヒンジ部１３を備えており、平面鏡１１の先端側に通信用アンテナ部６ａが配設されている。
【００１９】
平面鏡１１は、像を映し込む鏡面を有する鏡部材である。
支持板１２は、ヒンジ部１３を介して平面鏡１１を支える板状部材であり、その平面鏡１１の鏡面が映像表示部５の表示面と同じ側を向くように支持している。
ヒンジ部１３は、平面鏡１１と支持板１２とがつき合わされる接線部分を軸心にして、その平面鏡１１が前後方向に回動可能に、平面鏡１１と支持板１２を連結している。
【００２０】
このミラーユニット１０は、図２、図３に示すように、入出力端子７に隣接した位置であって、入出力端子７より後ろ側となる筐体８の後面側に形成された収納部８ａに格納可能に備えられている。
また、ミラーユニット１０は、図４、図５に示すように、格納部８ａから横方向に引き出されて使用されるようになっている。なお、支持板１２は、格納部８ａから抜け出てしまわないようになっており、ミラーユニット１０は筐体８から離脱しないように備えられている。
【００２１】
そして、図５に示すように、ミラーユニット１０を格納部８ａから引き出して、平面鏡１１をＴＶ受像機１００の前方から目視可能な位置に配するとともに、平面鏡１１を前方に起こすように４５度程度回動すると、図４に示すように、平面鏡１１の鏡面に入出力端子７が映り込むので、映像表示部５を前方から臨んだときに隠れた位置に配設されていた入出力端子７をＴＶ受像機１００の前方から視認することができるようになる。
つまり、ミラーユニット１０の平面鏡１１は、隠れた位置の入出力端子７を映像表示部５の前方から視認可能とするように映すことができるようになっている。
また、ミラーユニット１０を格納部８ａから引き出して、平面鏡１１に設けられている通信用アンテナ部６ａの配置を筐体８から離間した位置に切り替えることができる。
【００２２】
このように、本発明に係るＴＶ受像機１００が備えるミラーユニット１０は、隠れた位置に配設されている入出力端子７をＴＶ受像機１００の前方から視認することができるようにミラーユニット１０の平面鏡１１で映すことができるので、使用者がＴＶ受像機１００の側面や背後に回りこんだり、ＴＶ受像機１００を移動させたりすることなく、入出力端子７の位置や種別を確認することができ、好適にケーブルのプラグを入出力端子７に抜き差しすることができる。
特に、入出力端子７における各ピンジャック７ａ、７ｂ、７ｃの種別を示す「映像」、「左」、「右」という文字が反転した鏡像の文字が各ピンジャックの横に印されているため、ミラーユニット１０の平面鏡１１に映された像においては正像となった文字を視認することができるので、各ピンジャック７ａ、７ｂ、７ｃの種別を間違えることなく確認することができ、より好適にケーブルのプラグを入出力端子７に抜き差しすることが可能になる。
【００２３】
また、本発明に係るＴＶ受像機１００が備えるミラーユニット１０が、格納部８ａから引き出されることによって、ミラーユニット１０の先端側であって、平面鏡１１の先端側に設けられている通信用アンテナ部６ａを、ＴＶ受像機１００の筐体８から離れた位置に配することができるので、無線通信に関する受信感度を向上させることができる。
つまり、ミラーユニット１０を入出力端子７の位置確認に使用しない際に、無線通信の受信強度を上げるために、通信用アンテナ部６ａをＴＶ受像機１００の筐体８から離間した位置に配するようにミラーユニット１０を使用することができる。
このように本発明に係るＴＶ受像機１００は、入出力端子確認用のミラーユニット１０（平面鏡１１）を有効利用することができる。
【００２４】
なお、本発明は上記実施形態に限られるものではない。
例えば、図６、図７に示すように、ＴＶ受像機２００における筐体８の下面側に形成した溝状の収納部８ａに格納可能にミラーユニット２０を備えるようにしてもよい。
【００２５】
ミラーユニット２０は、像を映し込む鏡面を有する平面鏡２１と、２つの軸部２２ａと３つのボールジョイント２２ｂからなる支持腕２２とを備えており、平面鏡２１の側端部に通信用アンテナ部６ａが配設されている。
【００２６】
支持腕２２は、２つの軸部２２ａの一端同士がボールジョイント２２ｂで連結されるとともに、各軸部２２ａの他端にそれぞれボールジョイント２２ｂが設けられている。
そして、この支持腕２２における一方の軸部２２ａの端部側のボールジョイント２２ｂが平面鏡２１の基端部に連結し、支持腕２２における他方の軸部２２ａの端部側のボールジョイント２２ｂが収納部８ａ（筐体８）に連結している。
【００２７】
ボールジョイント２２ｂは、ボールジョイント２２ｂに繋がれた軸部２２ａを様々な角度に動かすことが可能になる関節部となるので、支持腕２２を様々な形態に変形させることができるようになる。
そして、支持腕２２は、連結されている平面鏡２１の配置や角度を様々に調整することができる。
【００２８】
また、ミラーユニット２０を収納部８ａに格納する際には、平面鏡２１の鏡面を収納部８ａ側に向けて収容することによって鏡面を保護することができ、その鏡面に傷や汚れを付きにくくすることができる。
なお、格納部８ａに格納されたミラーユニット２０の平面鏡２１は、格納部８ａに形成された係止爪８ｂに係止されて、保持されるようになっている。
【００２９】
このような構成のミラーユニット２０であっても、格納部８から引き出して使用することによって、隠れた位置に配設されている入出力端子７をＴＶ受像機２００の前方から視認することができるようにミラーユニット２０の平面鏡２１で映すことができる。
また、ＴＶ受像機２００が備えるミラーユニット２０を、格納部８ａから引き出すことによって、ミラーユニット２０の先端側の平面鏡２１に設けられている通信用アンテナ部６ａを、ＴＶ受像機２００の筐体８から離れた位置に配することができるので、無線通信に関する受信感度を向上させることができる。
このようにＴＶ受像機２００も、入出力端子確認用のミラーユニット２０（平面鏡２１）を有効利用することができる。
【００３０】
なお、以上の実施の形態においては、無線通信部６は、所定の機器と無線ＬＡＮなどの通信を行う機能を有するとしたが、本発明はこれに限定されるものではなく、例えば、無線通信部６が、音声データに基づく音声をワイヤレスヘッドフォンに出力する通信を行う機能を有するようにしてもよく、通信用アンテナ部６ａをワイヤレスヘッドフォン用に使用してもよい。
【００３１】
また、ミラーユニット（平面鏡）が配設される位置は、上記実施形態に限られるものではなく、入出力端子７の配設位置に応じて任意の箇所に設けるようにすればよい。
【００３２】
また、その他、具体的な細部構造等についても適宜に変更可能であることは勿論である。
【図面の簡単な説明】
【００３３】
【図１】本発明に係るＴＶ受像機の要部構成を示すブロック図である。
【図２】本発明に係るＴＶ受像機を示す側面図である。
【図３】本発明に係るＴＶ受像機を示す下面図である。
【図４】本発明に係るＴＶ受像機を示す正面図であって、ミラーユニットが引き出された状態を示している。
【図５】本発明に係るＴＶ受像機を示す下面図であって、ミラーユニットが引き出された状態を示している。
【図６】本発明に係るＴＶ受像機の変形例を示す斜視図である。
【図７】図６のＴＶ受像機を示す下面図である。
【符号の説明】
【００３４】
１      チューナ（受信部）
１ａ    アンテナ
４      音声出力部
５      映像出力部（表示部）
６      無線通信部
６ａ    通信用アンテナ部（アンテナ部）
７      入出力端子
８      筐体
８ａ    収納部
１０    ミラーユニット
１１    平面鏡（鏡部材）
１２    支持板
１３    ヒンジ部
２０    ミラーユニット
２１    平面鏡（鏡部材）
２２    支持腕
２２ａ  軸部
２２ｂ  ボールジョイント
１００、２００  ＴＶ受像機（テレビジョン受像機、映像表示装置）
【図１】
2008172488.tif 000003
【図２】
2008172488.tif 000004
【図３】
2008172488.tif 000005
【図４】
2008172488.tif 000006
【図５】
2008172488.tif 000007
【図６】
2008172488.tif 000008
【図７】
2008172488.tif 000009